【事件の表示】
　特願２０１６−１２２３５７号「遊技機」拒絶査定不服審判事件〔平成２９年１２月２８日出願公開、特開２０１７−２２５５２９号〕について、次のとおり審決する。
【結　論】
　本件審判の請求は、成り立たない。
【理　由】
第１　手続の経緯
　本願は、平成２８年６月２１日の出願であって、平成３０年５月１日付けで拒絶の理由が通知され、同年６月２９日に意見書及び手続補正書が提出され、同年１１月２９日付けで最後の拒絶の理由が通知され、平成３１年１月２５日に意見書及び手続補正書が提出されたところ、令和１年６月１７日付け（送達日：同年同月２５日）で平成３１年１月２５日付け手続補正が却下されるとともに拒絶査定がなされ、それに対して、令和１年９月１７日に拒絶査定不服審判の請求がなされると同時に手続補正がなされ、これに対し、当審において、令和２年３月３１日付けで拒絶の理由が通知され、同年６月５日に意見書及び手続補正書が提出されたものである。
第２　本願発明
　本願請求項１に係る発明は、令和２年６月５日に提出された手続補正書により補正された特許請求の範囲の請求項１に記載の事項により特定されるとおりのものであると認められ、その請求項１に係る発明（以下、「本願発明」という。）は、分説してＡないしＫの符号を付与すると、次のとおりのものである。
「【請求項１】
Ａ　遊技が可能な遊技機であって、
Ｂ　遊技者が操作可能な複数の操作部と、
Ｃ　前記操作部の操作に対応する操作処理を実行可能な操作処理実行手段と、
　を備え、
Ｄ　前記操作部は、第１操作部と第２操作部とを含み、
Ｅ　前記第１操作部及び前記第２操作部は、可変表示中に実行される予告演出における操作有効期間での操作を前記操作処理が実行されるための操作として有効に受け付け、
Ｆ　前記操作処理実行手段は、
　　　前記操作有効期間に、前記第１操作部において第１操作態様の操作または該第１操作態様とは操作態様が異なる第２操作態様の操作があった場合は、各操作態様に対応した対応操作処理を実行し、
Ｇ　　前記操作有効期間に、前記第２操作部において第３操作態様の操作があった場合は、該第３操作態様に対応した対応操作処理を実行する一方、前記第３操作態様とは操作態様が異なる第４操作態様の操作があった場合も、前記第３操作態様に対応した対応操作処理を実行可能であり、
Ｈ　　前記操作有効期間に、前記第２操作部における前記第４操作態様の操作とともに前記第１操作部の操作があった場合は、前記第２操作部の操作にもとづいて前記第３操作態様に対応した対応操作処理を実行し、前記第１操作部の操作にもとづく対応操作処理を実行せず、
Ｉ　前記第３操作態様は、１の操作を所定速度で繰り返し行う操作態様であり、
Ｊ　前記第４操作態様は、１の操作を継続して行う操作態様であり、
Ｋ　前記操作処理実行手段は、前記操作有効期間の開始からの所定期間において前記第２操作部に前記所定速度より早い速度で１の操作が繰り返しあった場合に、前記第３操作態様に対応した対応操作処理を実行する、
Ａ　ことを特徴とする遊技機。」
第３　令和２年３月３１日付け拒絶理由の概要
　当審による令和２年３月３１日付け拒絶理由の概要は、以下のとおりである。
理由１：この出願は、特許請求の範囲の記載が、特許法第３６条第６項第１号に規定する要件を満たしていない。
理由２：この出願の請求項１に係る発明は、その出願前に日本国内又は外国において頒布された下記の刊行物に記載された発明であるから、特許法第２９条第１項第３号に該当し、特許を受けることができない。
理由３：この出願の請求項１に係る発明は、その出願前に日本国内又は外国において頒布された下記の刊行物に記載された発明又は電気通信回線を通じて公衆に利用可能となった発明に基いて、その出願前にその発明の属する技術の分野における通常の知識を有する者（以下、「当業者」という。）が容易に発明をすることができたものであるから、特許法第２９条第２項の規定により特許を受けることができない。
　　　　　　　　　　　　　　　　　　記
引用文献１：特許第５８５７３２５号公報 
第４　引用文献１に記載された事項及び引用発明
１　記載事項
　当審における拒絶理由に引用され、本願の出願前に頒布され又は電気通信回線を通じて公衆に利用可能となった特許第５８５７３２５号公報（以下、「引用文献１」という。）には、以下の記載がある（下線は引用発明等の認定に関連する箇所を明示するために合議体が付した。）。
引１−ア
「【００１０】
　以下、図面を用いて、本発明に係る遊技台（例えば、
パチンコ機１００
引１−イ
「【００３２】
　第１特図始動口２３０は、本実施例では遊技盤２００の中央に１つだけ配設している。この
第１特図始動口２３０への入球
特図変動遊技を開始する
【００３３】
　第２特図始動口２３２は、電動チューリップ（電チュー）と呼ばれ、本実施例では第１特図始動口２３０の真下に１つだけ配設している。この第２特図始動口２３２は、左右に開閉自在な羽根部材２３２ａを備え、羽根部材２３２ａの閉鎖中は球の入球が不可能であり、普図変動遊技に当選し、普図表示装置２１０が当り図柄を停止表示した場合に羽根部材２３２ａが所定の時間間隔、所定の回数で開閉する。
第２特図始動口２３２への入球
特図変動遊技を開始する
パチンコ機１００
引１−ウ
「【００４３】
　パチンコ機１００の制御部は、大別すると、遊技の中枢部分を制御する主制御部３００と、主制御部３００が送信するコマンド信号（以下、単に「コマンド」と呼ぶ）に応じて主に
演出
を行う第１副制御部４００
引１−エ
「【００５２】
　＜副制御部＞
　次に、パチンコ機１００の
第１副制御部４００
ＣＰＵ４０４
【００５３】
　また、基本回路４０２には、スピーカ１２０（およびアンプ）の制御を行うための音源ＩＣ４１６と、各種ランプ４１８（例えば、操作部１３６の内部に設けられた演出ボタンランプ１３８）の制御を行うための駆動回路４２０と、遮蔽装置２４６の駆動制御を行うための駆動回路４３２と、遮蔽装置２４６の現在位置を検出する遮蔽装置センサ４３０と、操作部１３６が有する各種ボタン（詳細は後述）の押下を検出する操作部センサ４２６と、遮蔽装置センサ４３０や操作部センサ４２６からの検出信号を基本回路４０２に出力するセンサ回路４２８と、
ＣＰＵ４０４からの信号に基づいて
装飾図柄表示装置２０８に画像を表示するＶＤＰ４３４
引１−オ
「【０１２５】
　＜第１副制御部４００の処理＞
　
図８
同図（ａ）は、第１副制御部４００のＣＰＵ４０４が実行するメイン処理のフローチャート
同図（ｄ）は、第１副制御部４００の画像制御処理のフローチャート
・・・
【０１３０】
　ステップＳ３１１では、操作部１３６の
各種ボタンの押下を検出していた場合
演出データを各種ボタンの押下に応じた演出データに変更する処理を行う
【０１３１】
　ステップＳ３１３では、画像制御処理を行う。詳細は後述するが、この画像制御処理では、ステップＳ３０９で読み出した
演出データの中にＶＤＰ４３４への命令がある場合には、この命令をＶＤＰ４３４に出力する。
・・・
【０１３９】
　＜画像制御処理＞
　次に、
同図（ｄ）を用いて、第１副制御部４００のメイン処理における
画像制御処理について説明する
・・・
【０１４２】
　ステップＳ６０７では、描画指示を行う。この描画指示では、
ＣＰＵ４０４は、ＶＤＰ４３４に画像の描画開始を指示する。
引１−カ
「【０２８８】
　上述した演出例では、演出ボタン１３６ｅによる連打操作を行い、連打操作が行われた結果、演出に失敗したとしてその旨の表示を行う例を示したが、連打メーターＲＤのゲージが満タンとなった場合には、演出に成功したとして、
カットイン画像等の予告表示
引１−キ
「【０４１１】
　図３３は、本実施形態のパチンコ機における具体的演出例の一例を示す図である。以下の図では、括弧書きの数字順に演出が進んでいく様子を示す。なお、図３３に示す演出例では、
演出ボタンとして第一の演出ボタン１３６ｅＡと第二の演出ボタン１３６ｅＢとが設けられており
【０４１２】
　
図３３（ａ−１）に示す装飾図柄表示装置２０８では、表示画面の左上隅部において装飾図柄の変動表示が行われ
装飾図柄表示装置２０８の中央には、演出ボタン画像ＢＴとともに「ＰＵＳＨ」という文字が表示され、残時間メーターＭＴが演出ボタン画像ＢＴの下方に表示され
・・・
【０４１４】
　
その後、
１秒が経過したタイミングになると、図３３（ａ−２）に示すように、残時間メーターＭＴが、１秒を経過したことを示す態様、すなわち、ゲージが１秒分減少した態様で表示され
【０４１５】
　そして、
図３３（ａ−３）に示すように、第一の演出ボタン１３６ｅＡによる１回の押下操作がなされ
演出ボタンに関する演出が実行されない演出が実行され
・・・
【０４１７】
　そして、
図３３（ａ−６）に示すように、第二の演出ボタン１３６ｅＢによる１回の押下操作がなされると、図３３（ａ−７）に示すように、装飾図柄表示装置２０８では、カットイン画像ＣＩ７が表示される。
【０４１８】
　
上述した演出例では、第二の演出ボタン１３６ｅＢによる１回の押下操作（単発操作）により、操作の結果を表示するようにしたが、
第二の演出ボタン１３６ｅＢによる連打操作がなされることにより、操作の結果が表示されるようにしてもよい。
【０４１９】
　また、
上述した演出例において、第一の演出ボタン１３６ｅＡ及び第二の演出ボタン１３６ｅＢの
両方について、長押しオート連打機能を有効な状態としてもよい
【０４２０】
　また、例えば、図３３（ａ−１）に示される演出ボタンに係る演出が実行されるよりも前から
第一の演出ボタン１３６ｅＡ及び第二の演出ボタン１３６ｅＢが継続的に押下され続けている場合に
、
長押しオート連打機能により疑似的に第二の演出ボタン１３６ｅＢが操作されて、操作の結果を表示するようにしてもよい。
引１−ク
「【０５１６】
　また、演出ボタンを複数備えた場合において、
一方の演出ボタンについて長押しオート連打機能により疑似的な演出ボタンの連打が行われているときに、他方の演出ボタンに対する操作については受け付けないようにしてもよい
引１−ケ　【図３３】
「
」
２　認定事項
　引用文献１の記載事項より、以下の事項が認定できる。
ア　認定事項（ア）
　上記【０１２５】には「図８・・・同図（ａ）は、第１副制御部４００のＣＰＵ４０４が実行するメイン処理のフローチャート・・・同図（ｄ）は、第１副制御部４００の画像制御処理のフローチャート」と記載され、上記【０１３０】には「各種ボタンの押下を検出していた場合・・・演出データを各種ボタンの押下に応じた演出データに変更する処理を行う」と記載され、上記【０１３１】には「演出データの中にＶＤＰ４３４への命令がある場合には、この命令をＶＤＰ４３４に出力する」と記載され、上記【００５３】には、「ＣＰＵ４０４からの信号に基づいて・・・装飾図柄表示装置２０８に画像を表示するＶＤＰ４３４」と記載され、上記【０１３９】には「同図（ｄ）を用いて、第１副制御部４００のメイン処理における・・・画像制御処理について説明する」と記載され、上記【０１４２】には「ＣＰＵ４０４は、ＶＤＰ４３４に画像の描画開始を指示する」と記載されているから、引用文献１には、
各種ボタンの押下を検出していた場合、演出データを各種ボタンの押下に応じた演出データに変更する処理を行い、装飾図柄表示装置２０８に画像を表示させる第１副制御部４００のＣＰＵ４０４を備え
イ　認定事項（イ）
　上記【０４１７】には「図３３（ａ−６）に示すように、第二の演出ボタン１３６ｅＢによる１回の押下操作がなされると、図３３（ａ−７）に示すように、装飾図柄表示装置２０８では、カットイン画像ＣＩ７が表示される。」と記載され、上記【０２８８】には「カットイン画像等の予告表示」と記載され、上記【０４１８】には「上述した演出例では、第二の演出ボタン１３６ｅＢによる１回の押下操作（単発操作）により、操作の結果を表示するようにしたが、・・・第二の演出ボタン１３６ｅＢによる連打操作がなされることにより、操作の結果が表示されるようにしてもよい。」と記載され、上記【０４１９】には「上述した演出例において、第一の演出ボタン１３６ｅＡ及び第二の演出ボタン１３６ｅＢの・・・両方について、長押しオート連打機能を有効な状態としてもよい」と記載され、上記【０４２０】には「第一の演出ボタン１３６ｅＡ及び第二の演出ボタン１３６ｅＢが継続的に押下され続けている場合に、・・・長押しオート連打機能により疑似的に第二の演出ボタン１３６ｅＢが操作されて、操作の結果を表示するようにしてもよい」と記載され、上記【０５１６】には「一方の演出ボタンについて長押しオート連打機能により疑似的な演出ボタンの連打が行われているときに、他方の演出ボタンに対する操作については受け付けないようにしてもよい」と記載されているから、引用文献１には、
第二の演出ボタン１３６ｅＢによる連打操作がなされることにより、操作の結果であり予告表示であるカットイン画像ＣＩ７が表示され、第一の演出ボタン１３６ｅＡ及び第二の演出ボタン１３６ｅＢの両方について、長押しオート連打機能を有効な状態とし、第一の演出ボタン１３６ｅＡ及び第二の演出ボタン１３６ｅＢが継続的に押下され続けている場合に、長押しオート連打機能により疑似的に第二の演出ボタン１３６ｅＢが操作されて、操作の結果であり予告表示であるカットイン画像ＣＩ７が表示され、第二の演出ボタン１３６ｅＢについて長押しオート連打機能により疑似的な演出ボタンの連打が行われているときに、第一の演出ボタン１３６ｅＡに対する操作については受け付けないようにする
ウ　引用発明
　よって、上記引１−アないし引１−ケに摘記した引用文献１の記載事項、及び、上記認定事項（ア）、（イ）より、引用文献１には、以下の発明（以下、「引用発明」という。）が記載されているものと認められる。なお、ａないしｊの符号は、本願発明の構成ＡないしＪに対応させて当審にて付与した。
「ａ　第１特図始動口２３０、又は第２特図始動口２３２への入球で、特図変動遊技を開始するパチンコ機１００であって（【００１０】、【００３２】、【００３３】）、
ｂ、ｄ　演出ボタンとして第一の演出ボタン１３６ｅＡと第二の演出ボタン１３６ｅＢとが設けられており（【０４１１】）、
ｃ　各種ボタンの押下を検出していた場合、演出データを各種ボタンの押下に応じた演出データに変更する処理を行い、装飾図柄表示装置２０８に画像を表示させる第１副制御部４００のＣＰＵ４０４を備え（認定事項（ア））、
ｅ、ｆ、ｇ、ｉ、ｊ　装飾図柄表示装置２０８では、表示画面の左上隅部において装飾図柄の変動表示が行われ（【０４１２】、図３３（ａ−１））、装飾図柄表示装置２０８の中央には、演出ボタン画像ＢＴとともに「ＰＵＳＨ」という文字が表示され、残時間メーターＭＴが演出ボタン画像ＢＴの下方に表示され（【０４１２】）、その後、１秒が経過したタイミングになると、残時間メーターＭＴが、１秒を経過したことを示す態様、すなわち、ゲージが１秒分減少した態様で表示され（【０４１４】、図３３（ａ−２））、
　第一の演出ボタン１３６ｅＡによる１回の押下操作がなされて（図３３（ａ−３））、演出ボタンに関する演出が実行されない演出が実行され（【０４１５】）、
　第二の演出ボタン１３６ｅＢによる連打操作がなされることにより、操作の結果であり予告表示であるカットイン画像ＣＩ７が表示され（認定事項（イ））、
　第一の演出ボタン１３６ｅＡ及び第二の演出ボタン１３６ｅＢの両方について、長押しオート連打機能を有効な状態とし、第一の演出ボタン１３６ｅＡ及び第二の演出ボタン１３６ｅＢが継続的に押下され続けている場合に、長押しオート連打機能により疑似的に第二の演出ボタン１３６ｅＢが操作されて、操作の結果であり予告表示であるカットイン画像ＣＩ７が表示され（認定事項（イ））、
ｈ　第二の演出ボタン１３６ｅＢについて長押しオート連打機能により疑似的な演出ボタンの連打が行われているときに、第一の演出ボタン１３６ｅＡに対する操作については受け付けないようにする（認定事項（イ））、
ａ　パチンコ機１００（【００１０】）。」
第５　対比
　本願発明と引用発明とを対比する。
（ａ）本願発明の構成Ａについて
　引用発明の構成ａにおける「第１特図始動口２３０、又は第２特図始動口２３２への入球で、特図変動遊技を開始するパチンコ機１００」は、本願発明の「遊技が可能な遊技機」に相当する。
　よって、引用発明の構成ａは、本願発明の構成Ａに相当する。
（ｂ、ｄ）本願発明の構成Ｂ、Ｄについて
　引用発明の「演出ボタン」は、遊技者が操作可能であることは明らかであるから、本願発明の構成Ｂの「遊技者が操作可能な」「操作部」に相当する。
　また、引用発明の「第一の演出ボタン１３６ｅＡ」、及び「第二の演出ボタン１３６ｅＢ」は、本願発明の構成Ｂの「複数の操作部」に相当するとともに、本願発明の構成Ｄの「第１操作部」、及び「第２操作部」に相当する。
　よって、引用発明の構成ｂ、ｄは、本願発明の構成Ｂに相当する構成を有しているとともに、本願発明の構成Ｄに相当する構成を有している。
（ｃ）本願発明の構成Ｃについて
　引用発明の「各種ボタンの押下を検出していた場合、演出データを各種ボタンの押下に応じた演出データに変更する処理を行い、装飾図柄表示装置２０８に画像を表示させる第１副制御部４００のＣＰＵ４０４」は、本願発明の「前記操作部の操作に対応する操作処理を実行可能な操作処理実行手段」に相当する。
　よって、引用発明の構成ｃは、本願発明の構成Ｃに相当する。
（ｅ）本願発明の構成Ｅについて
　引用発明の「装飾図柄の変動表示が行われ」ているとき、及び「予告表示であるカットイン画像ＣＩ７が表示され」ることは、それぞれ、本願発明の「可変表示中」、及び「予告演出」に相当する。
　また、引用発明は「装飾図柄表示装置２０８では、表示画面の左上隅部において装飾図柄の変動表示が行われ、装飾図柄表示装置２０８の中央には、演出ボタン画像ＢＴとともに「ＰＵＳＨ」という文字が表示され、残時間メーターＭＴが演出ボタン画像ＢＴの下方に表示され、その後、１秒が経過したタイミングになると、残時間メーターＭＴが、１秒を経過したことを示す態様、すなわち、ゲージが１秒分減少した態様で表示され」るから、装飾図柄の変動表示中に、「ＰＵＳＨ」という文字が表示されると、演出ボタンの操作有効期間が開始される。
　そして、引用発明は、「第一の演出ボタン１３６ｅＡ」「が継続的に押下され続けている場合に」、「操作の結果であり予告表示であるカットイン画像ＣＩ７が表示され」、「第二の演出ボタン１３６ｅＢによる連打操作がなされることにより、操作の結果であり予告表示であるカットイン画像ＣＩ７が表示され」るから、演出ボタンの操作有効期間は、「予告表示であるカットイン画像ＣＩ７」（予告演出）を表示させるための操作有効期間であるとともに、「第一の演出ボタン１３６ｅＡ」（第１操作部）及び「第二の演出ボタン１３６ｅＢ」（第２操作部）は、操作有効期間の操作を、「演出データを各種ボタンの押下に応じた演出データに変更する処理」（構成ｃ。操作処理）を行うための操作として有効に受け付けている。
　よって、引用発明の構成ｅ、ｆ、ｇ、ｉ、ｊは、本願発明の構成Ｅに相当する構成を有している。
（ｆ）本願発明の構成Ｆについて
　引用発明の「第一の演出ボタン１３６ｅＡによる１回の押下操作」、及び「第一の演出ボタン１３６ｅＡ」「が継続的に押下され続けて」いることは、それぞれ、本願発明の「第１操作態様の操作」、及び「第２操作態様の操作」に相当する。
　引用発明の「第一の演出ボタン１３６ｅＡによる１回の押下操作がなされて、演出ボタンに関する演出が実行されない演出が実行され」ること、及び「第一の演出ボタン１３６ｅＡ」「が継続的に押下され続けている場合に」、「操作の結果であり予告表示であるカットイン画像ＣＩ７が表示され」ることは、「第１副制御部４００のＣＰＵ４０４」（操作処理実行手段）が操作有効期間に操作が行われたときに行われるものである。
　また、「第一の演出ボタン１３６ｅＡによる１回の押下操作」のときと、「第一の演出ボタン１３６ｅＡ」「が継続的に押下され続けて」いるときとで、表示する画像の内容が異なるから、「第１副制御部４００のＣＰＵ４０４」（操作処理実行手段）は、各操作態様に対応した操作処理を行っている。
　よって、引用発明の構成ｅ、ｆ、ｇ、ｉ、ｊは、本願発明の構成Ｆに相当する構成を有している。
（ｇ）本願発明の構成Ｇについて
　引用発明の「第二の演出ボタン１３６ｅＢによる連打操作がなされること」、及び「第二の演出ボタン１３６ｅＢが継続的に押下され続けて」いることは、それぞれ、本願発明の「第３操作態様の操作」、及び「第４操作態様の操作」に相当する。
　引用発明は、「第二の演出ボタン１３６ｅＢによる連打操作がなされることにより、操作の結果であり予告表示であるカットイン画像ＣＩ７が表示され」、「第二の演出ボタン１３６ｅＢが継続的に押下され続けている場合に、長押しオート連打機能により疑似的に第二の演出ボタン１３６ｅＢが操作されて、操作の結果であり予告表示であるカットイン画像ＣＩ７が表示され」る。
　よって、引用発明の構成ｅ、ｆ、ｇ、ｉ、ｊは、本願発明の構成Ｇに相当する構成を有している。
（ｈ）本願発明の構成Ｈについて
　引用発明の構成ｅ、ｆ、ｇ、ｉ、ｊは、「第二の演出ボタン１３６ｅＢ」「について、長押しオート連打機能を有効な状態とし」、「第二の演出ボタン１３６ｅＢが継続的に押下され続けている場合に」、「操作の結果であり予告表示であるカットイン画像ＣＩ７が表示され」るとともに、引用発明の構成ｈは「第二の演出ボタン１３６ｅＢについて長押しオート連打機能により疑似的な演出ボタンの連打が行われているときに、第一の演出ボタン１３６ｅＡに対する操作については受け付けないようにし」ているので、「第二の演出ボタン１３６ｅＢが継続的に押下され続けている場合に」、「第一の演出ボタン１３６ｅＡ」の操作があっても、その操作を受け付けない。
　よって、引用発明は、本願発明の構成Ｈに相当する構成を有している。
（ｉ）本願発明の構成Ｉについて
　引用発明の「第二の演出ボタン１３６ｅＢによる連打操作」は、速度は不明であるが、１の操作を繰り返し行う操作態様である。
　よって、引用発明の構成ｅ、ｆ、ｇ、ｉ、ｊと、本願発明の構成Ｉとは、「前記第３操作態様は、１の操作を」「繰り返し行う操作態様であ」る点で共通している。
（ｊ）本願発明の構成Ｊについて
　引用発明の「第二の演出ボタン１３６ｅＢが継続的に押下され続け」る操作は、１の操作を継続して行う操作態様である。
　よって、引用発明の構成ｅ、ｆ、ｇ、ｉ、ｊは、本願発明の構成Ｊに相当する構成を有している。
　以上のことから、本願発明と引用発明は、以下の点で一致する。
＜一致点＞
Ａ　遊技が可能な遊技機であって、
Ｂ　遊技者が操作可能な複数の操作部と、
Ｃ　前記操作部の操作に対応する操作処理を実行可能な操作処理実行手段と、
　を備え、
Ｄ　前記操作部は、第１操作部と第２操作部とを含み、
Ｅ　前記第１操作部及び前記第２操作部は、可変表示中に実行される予告演出における操作有効期間での操作を前記操作処理が実行されるための操作として有効に受け付け、
Ｆ　前記操作処理実行手段は、
　　前記操作有効期間に、前記第１操作部において第１操作態様の操作または該第１操作態様とは操作態様が異なる第２操作態様の操作があった場合は、各操作態様に対応した対応操作処理を実行し、
Ｇ　　前記操作有効期間に、前記第２操作部において第３操作態様の操作があった場合は、該第３操作態様に対応した対応操作処理を実行する一方、前記第３操作態様とは操作態様が異なる第４操作態様の操作があった場合も、前記第３操作態様に対応した対応操作処理を実行可能であり、
Ｈ　　前記操作有効期間に、前記第２操作部における前記第４操作態様の操作とともに前記第１操作部の操作があった場合は、前記第２操作部の操作にもとづいて前記第３操作態様に対応した対応操作処理を実行し、前記第１操作部の操作にもとづく対応操作処理を実行せず、
Ｉ’　前記第３操作態様は、１の操作を繰り返し行う操作態様であり、
Ｊ　　前記第４操作態様は、１の操作を継続して行う操作態様である
Ａ　遊技機。
　そして、両者は、以下の点で相違する。
＜相違点＞　（構成Ｉ、Ｋに関して）
　本願発明は、「前記第３操作態様は、１の操作を所定速度で繰り返し行う操作態様であり、」「前記操作処理実行手段は、前記操作有効期間の開始からの所定期間において前記第２操作部に前記所定速度より早い速度で１の操作が繰り返しあった場合に、前記第３操作態様に対応した対応操作処理を実行する」のに対して、
　引用発明は、「第１副制御部４００のＣＰＵ４０４」（操作処理実行手段）は、「第二の演出ボタン１３６ｅＢによる連打操作」（第３操作態様）があった場合に、「予告表示であるカットイン画像ＣＩ７が表示され」る（予告演出）処理を行うが、連打操作の速度に関する構成が不明であるため、このような構成でない点。
第６　検討・判断
１　相違点についての検討
　
　本願発明において、「操作有効期間の開始からの所定期間において前記第２操作部に前記所定速度より早い速度で１の操作が繰り返しあった場合に、前記第３操作態様に対応した対応操作処理を実行する」こととは、本願の発明の詳細な説明の記載（【００１０】、【００９８】）を参照すると、「操作有効期間が開始されてから所定の判定期間（例えば、約２秒間）が経過するまでにプッシュボタン３１Ｂが所定回数（例えば、３回など）単打操作されたときに」「１の操作を所定速度で繰り返し行う操作態様」「に対応した対応操作処理を実行する」ことであり、ここにおける「速度」とは、所定時間内の操作部の操作回数をさすものであると認められる。
　そして、操作有効期間の開始からの所定期間において、所定回数のボタン操作が検出された場合を「連打」の操作を行った場合とし、所定速度で１の操作が繰り返しあった場合（連打）でも、所定速度より早い速度で１の操作が繰り返しあった場合（連打）でも、連打の操作態様に対応した同じ対応操作処理を実行することは、
　特開２０１５−１７３７１２号公報（画像表示装置１７の左表示部ＲＬに変動表示される左演出図柄ＤＩＬ（図８２参照）と、画像表示装置１７の右表示部ＲＲに変動表示される右演出図柄ＤＩＲ（図８２参照）とが、同じ数字図柄（「１」）で停止表示されることを期待させる演出図柄の表示演出（リーチ煽り演出、図８３（１）参照）が実行されて、遊技者に対して特定の操作態様（「単押し」「連打」「長押し」の何れか）で演出ボタンＳＷ６ａを操作するように促すボタン操作指示演出（図８３（２）参照）が実行される[【０２２０】] パチンコ遊技機１［【００１４】］において、成功パターンのボタン操作指示演出が実行され、このボタン操作指示演出により指示された操作態様［【０２４０】］である「連打」で［【０２４１】］遊技者がボタン操作を行うと［【０２４０】］、操作受付期間である３秒以内に、５回のボタン操作が検知された時点で［【０２４１】］、右演出図柄ＤＩＬとして、数字図柄「１」が仮停止表示され、リーチ目が成立し、リーチ目が成立したことを報知するリーチ目成立演出（図８５（４）参照）が実行される［【０２４０】］パチンコ遊技機１［【００１４】］が記載されている。リーチ目成立演出は、操作受付期間開始から３秒の時点で５回のボタン操作が検出されても、３秒のときより操作速度が速い操作受付期間開始から２秒の時点で５回のボタン操作が検出されても、同じリーチ目成立演出が実行される。）、
　特開２０１４−１５８５３２号公報（左リールＲＬに変動表示される左装飾図柄ＤＩＬと、右リールＲＲに変動表示される右装飾図柄ＤＩＲとが、同じ数字図柄（「１」）で仮停止表示されること（いわゆる、リーチ目が成立すること）を期待させる装飾図柄の表示演出（リーチ煽り演出）を実行してから、遊技者に対して特定の操作態様で演出ボタン３７を操作するように促すボタン操作指示演出を実行する［【０１４０】］パチンコ遊技機１［【００１０】］において、成功パターンのボタン操作指示演出が実行されると、このボタン操作指示演出により指示された操作態様［【０１６４】］である「連打」で［【０１６５】］遊技者がボタン操作を行うと［【０１６４】］、操作受付期間である３秒以内に、５回のボタン操作が検知された時点で［【０１６５】］、右演出図柄ＤＩＬとして、数字図柄「１」が仮停止表示され、リーチ目が成立し、リーチ目が成立したことを報知するリーチ目成立演出（図１８の（４）参照）が実行される［【０１６４】］パチンコ遊技機１［【００１０】］が記載されている。リーチ目成立演出は、操作受付期間開始から３秒の時点で５回のボタン操作が検出されても、３秒のときより操作速度が速い操作受付期間開始から２秒の時点で５回のボタン操作が検出されても、同じリーチ目成立演出が実行される。）に記載されているように、本願出願前の周知の事項（以下、「本願出願前周知事項」という。）である。
　してみると、引用発明に上記本願出願前周知事項を適用して、「第二の演出ボタン１３６ｅＢによる連打操作」が、一定のタイミングである所定速度で繰り返しあった場合でも、所定速度より早い速度で繰り返しあった場合でも、「予告表示であるカットイン画像ＣＩ７が表示され」る（予告演出）処理を行うようにして、上記相違点２に係る本願発明の構成とすることは、当業者が容易になし得たものである。
　そして、本願発明の奏する作用効果は、引用発明及び上記本願出願前周知事項の奏する作用効果から予測される範囲内のものにすぎず、格別顕著なものということはできない。
２　令和２年６月５日付け意見書における請求人の主張への反論
（１）請求人は、令和２年２月１８日付け意見書において、「３．本件発明について」において、「４．拒絶理由について」「（４−２）新規性及び進歩性について」において、
「本件発明は、以下の構成Ａを有します。
　（構成Ａ）
　第３操作態様は、１の操作を所定速度で繰り返し行う操作態様であり、
　第４操作態様は、１の操作を継続して行う操作態様であり、
　操作処理実行手段は、操作有効期間の開始からの所定期間において第２操作部に所定速度より早い速度で１の操作が繰り返しあった場合に、第３操作態様に対応した対応操作処理を実行する。」
とした上で、「４．拒絶理由について」「（４−２）新規性及び進歩性について」において、
「本件発明は、上記格別の効果を奏する構成Ａを有します。
　ここで、引用文献１には、長押しオート連打機能を有する遊技機が開示されています。この遊技機では、長押しオート連打機能を、演出ボタン１３６ｅを用いた演出の内容に応じて有効又は無効にしています（段落０１５５等）。
　しかしながら、引用文献１には、長押しオート連打機能を有効とする演出において、演出の開始直後から所定期間遊技者の積極的な意欲により連打が行われた場合に、オート連打を行わず、成り行きを変更する技術思想について記載も示唆もありません。そして、このような引用文献１からは、構成Ａを有する本件発明を想起することは不可能です。
　このように、本件発明は、引用文献１からは想起し得ない構成Ａを有し、特有の効果を奏しますので、新規性及び進歩性を具備します。」
と主張している。
　そこで、請求人の上記の主張について検討すると、請求人の主張は、本願発明に「長押しオート連打機能を有効とする演出において、演出の開始直後から所定期間遊技者の積極的な意欲により連打が行われた場合に、オート連打を行わず、成り行きを変更する技術思想」が含まれることを前提とするものと認められるが、請求項の記載には、その技術思想を特定するための構成は何ら含まれておらず、請求人の主張は、請求項の記載に基づくものではない。
　そして、上記したように、本願発明における「操作有効期間の開始からの所定期間において第２操作部に前記所定速度より早い速度で１の操作が繰り返しあった場合に、前記第３操作態様に対応した対応操作処理を実行する」ことは、本願出願前周知事項である「操作有効期間の開始からの所定期間において、所定回数のボタン操作が検出された場合を「連打」の操作を行った場合とし、所定速度で１の操作が繰り返しあった場合（連打）でも、所定速度より早い速度で１の操作が繰り返しあった場合（連打）でも、連打の操作態様に対応した同じ対応操作処理を実行すること」に相当することから、請求人が主張する上記「構成Ａ」は、引用発明に本願出願前周知事項を適用することによって当業者が容易に想到し得ることであり、請求人の主張は採用できない。
第７　結語
　以上のとおり、本願発明は、引用発明に、本願出願前周知事項を適用することによって、当業者が容易に発明をすることができたものであるから、特許法第２９条第２項の規定により特許を受けることができないものであり、本願は拒絶すべきものである。
　よって、結論のとおり審決する。